(57)【要約】【課題】ハーフＰＣａ梁などの鉄筋コンクリート部材の主筋を効率的に配筋することができ、工期の短縮、人工の削減を図ることを可能にする配筋用治具を提供する。【解決手段】鉄筋コンクリート部材の主筋を配筋する際に用いる配筋用治具Ａであって、上下方向Ａに延びる軸受け部１０と、水平方向Ｔ２に延びる回転軸Ｏ１周りに回転自在に一端を軸受け部１０に接続して設けられたローラー部１１と、軸受け部１０に直接的あるいは間接的に繋がって上方に延設されるとともに、作業者が把持する取っ手１２を備えた引上げ把持部１３と、ローラー部１１の上方に間隔をあけ、軸受け部１０あるいは引上げ把持部１３に一体に設けられ、せん断補強筋に引っ掛けて配筋用治具Ａを係止するための係止部１４とを備える。【選択図】図２
2016000941.tif 000002
【特許請求の範囲】
【請求項１】
鉄筋コンクリート部材の主筋を配筋する際に用いる配筋用治具であって、
上下方向に延びる軸受け部と、
水平方向に延びる回転軸周りに回転自在に一端を前記軸受け部に接続して設けられたローラー部と、
前記軸受け部に直接的あるいは間接的に繋がって上方に延設されるとともに、作業者が把持する取っ手を備えた引上げ把持部と、
前記ローラー部の上方に間隔をあけ、前記軸受け部あるいは前記引上げ把持部に一体に設けられ、せん断補強筋に引っ掛けて配筋用治具を係止するための係止部とを備えていることを特徴とする配筋用治具。
【請求項２】
請求項１記載の配筋用治具において、
前記軸受け部の下端側に前記ローラー部から所定の長さで下方に突出する突出部が設けられ、
前記ローラー部の他端に水平方向に延びる回転軸周りに回転可能に接続して下方に突出する突出支持部が設けられていることを特徴とする配筋用治具。
【発明の詳細な説明】
【技術分野】
【０００１】
本発明は、主筋を配筋する際に用いる治具に関する。
【背景技術】
【０００２】
従来、施工の合理化、生産性、工期短縮などの多くの利点を有することから、予め下筋をコンクリートに埋設して形成し、ＰＣａ化したハーフＰＣａ梁（鉄筋コンクリート部材）が高層建物などを構築する際に多用されている。
【０００３】
また、このハーフＰＣａ梁は、上筋（上側の主筋）を仮留めした状態で柱上に架け渡すように設置され、柱上の所定位置に設置した状態で、上筋を外し、横引きしながら所定位置に配筋する（例えば、特許文献１、特許文献２参照）。そして、型枠を設置し、上筋を埋設し下側コンクリートと一体化するように上側コンクリートを打設することにより、梁部材が形成される。
【先行技術文献】
【特許文献】
【０００４】
【特許文献１】特公昭４９−４４７２３号公報
【特許文献２】特開２００５−１８８０７６号公報
【発明の概要】
【発明が解決しようとする課題】
【０００５】
しかしながら、従来、上記のようにハーフＰＣａ梁１を柱上に設置し、梁主筋の上筋２を配筋する際に、例えば、図５に示すように、４、５人の作業者が１５０ｍｍピッチ程度で配設されたスターラップ（せん断補強筋）３の中に手を入れ、上筋２をスライドさせて配筋する必要があった。このため、常に鉄筋を保持しつつ作業者全員が息を合わせ、大重量の上筋２を人力で移動させる必要があり、作業者に大きな負担が生じ、この上筋２の配筋作業に多くの時間と労力を要していた。
【０００６】
本発明は、上記事情に鑑み、ハーフＰＣａ梁などの鉄筋コンクリート部材の主筋を効率的に配筋することができ、工期の短縮、人工の削減を図ることを可能にする配筋用治具を提供することを目的とする。
【課題を解決するための手段】
【０００７】
上記の目的を達するために、この発明は以下の手段を提供している。
【０００８】
本発明の配筋用治具は、鉄筋コンクリート部材の主筋を配筋する際に用いる配筋用治具であって、上下方向に延びる軸受け部と、水平方向に延びる回転軸周りに回転自在に一端を前記軸受け部に接続して設けられたローラー部と、前記軸受け部に直接的あるいは間接的に繋がって上方に延設されるとともに、作業者が把持する取っ手を備えた引上げ把持部と、前記ローラー部の上方に間隔をあけ、前記軸受け部あるいは前記引上げ把持部に一体に設けられ、せん断補強筋に引っ掛けて配筋用治具を係止するための係止部とを備えていることを特徴とする。
【０００９】
また、本発明の配筋用治具においては、前記軸受け部の下端側に前記ローラー部から所定の長さで下方に突出する突出部が設けられ、前記ローラー部の他端に水平方向に延びる回転軸周りに回転可能に接続して下方に突出する突出支持部が設けられていることが望ましい。
【発明の効果】
【００１０】
本発明の配筋用治具においては、鉄筋コンクリート部材の主筋を配筋する際に、ローラー部と係止部の間の鉄筋挿入開口を通じ、主筋がローラー部上に配されるように配筋用治具を設置する。
【００１１】
ローラー部上に主筋を配置した後に、作業者が引上げ把持部の取っ手を持って配筋用治具を引き上げたり、下げることで、主筋を容易に上下に移動させることができる。そして、作業者が配筋用治具を主筋とともに引き上げ、係止部をせん断補強筋に係止させると、主筋を所定の高さ位置に配した状態で配筋用治具を保持することができる。
【００１２】
また、主筋がローラー部上に設けられているため、作業者が主筋を一方向に押し引きすることにより、容易に且つ円滑に主筋を横引きして所定位置に配置することができる。
【００１３】
これにより、この配筋用治具の鉄筋コンクリート部材の主筋の配筋時に使用することで、例えば、配筋作業を２、３人の作業者で行うことが可能になり、従来と比較し、人工を減らすことができる。
【００１４】
また、ローラー部が回転するため、押し引きする単純動作で主筋を所定位置に移動することができ、且つ少ない作業者で作業を行えるため、息を合わせやすく、容易に且つ円滑に配筋作業を行うことが可能になる。さらに、せん断補強筋に係止部を引っ掛けるだけで主筋を保持でき、従来のように、持ち上げた主筋を作業者が保持している必要がない。また、配筋時に上下に動く力が必要ない、あるいは少なくすることができるため、作業者が体勢を乱すことがなく、効率的に配筋作業を行うことができる。
【００１５】
よって、本発明の配筋用治具によれば、鉄筋コンクリート部材の主筋を効率的に配筋することができ、且つ作業者の負担を大幅に低減することができ、工期の短縮、人工の削減を図ることを可能になる。
【図面の簡単な説明】
【００１６】
【図１】本発明の一実施形態に係る配筋用治具を示す正面図である。
【図２】本発明の一実施形態に係る配筋用治具を示す斜視図である。
【図３】本発明の一実施形態に係る配筋用治具を示す斜視図である。
【図４】本発明の一実施形態に係る配筋用治具を用いてハーフＰＣａ梁の上筋（鉄筋コンクリート部材の主筋）を配筋している状態を示す図である。
【図５】ハーフＰＣａ梁の上筋を配筋する従来の配筋作業を示す図である。
【発明を実施するための形態】
【００１７】
以下、図１から図４を参照し、本発明の一実施形態に係る配筋用治具について説明する。ここで、本実施形態は、ハーフＰＣａ梁を柱上に設置した段階で、このハーフＰＣａ梁の上筋を少ない作業者で効率的に配筋することを可能にする配筋用治具（ハーフＰＣａ梁の上筋配筋用治具）に関するものである。
【００１８】
そして、本実施形態の配筋用治具Ａは、図１から図３に示すように、上下方向Ｔ１に延びる軸受け部１０と、水平方向Ｔ２に延びる回転軸Ｏ１周りに回転自在に一端１１ａを軸受け部１０に接続して設けられたローラー部１１と、軸受け部１０に直接的あるいは間接的に繋がって上方に延設されるとともに、作業者が把持する取っ手１２を備えた引上げ把持部１３と、ローラー部１１の上方に所定の間隔をあけ、軸受け部１０あるいは引上げ把持部１３に一体に設けられ、ハーフＰＣａ梁のスターラップ（せん断補強筋）に引っ掛けて配筋用治具Ａを係止するための係止部１４とを備えて形成されている。
【００１９】
また、本実施形態では、ローラー部１１がその一端１１ａを軸受け部１０の上端と下端の間に接続して配設されている。さらに、軸受け部１０は、下端側に、ローラー部１１から所定の長さで下方に突出する突出部１０ａを備えて形成されている。また、ローラー部１１の他端１１ｂに上端を水平方向Ｔ２に延びる回転軸Ｏ１周りに回転可能に接続し、軸受け部１０の突出部１０ａと同じ長さで下方に突出する突出支持部１５が設けられている。そして、軸受け部１０と突出支持部１５の下端を接地面に当接させることにより、これら軸受け部１０と突出支持部１５によってローラー部１１が回転軸Ｏ１を水平に配した状態で安定的に支持される。
【００２０】
また、本実施形態の配筋用治具Ａは、係止部１４が軸受け部１０の上端に一端部を接続し、ローラー部１１の上方に所定の間隔をあけて対向するように、且つローラー部１１の回転軸Ｏ１に沿う水平方向Ｔ２に延設されている。これにより、本実施形態の配筋用治具Ａは、軸受け部１０とローラー部１１と係止部１４が略コ字状に配設され、ローラー部１１の他端１１ｂと係止部１４の他端部との間に鉄筋を挿入してローラー部１１上に設置するための鉄筋挿入開口１６が形成されている。
【００２１】
さらに、係止部１４には、他端部に下方に突出する第１係止片１７が設けられている。また、係止部１４には、一側端部と他側端部にそれぞれ、下方に突出する第２係止片１８と第３係止片１９が設けられている。そして、第２係止片１８と第３係止片１９はそれぞれ、軸受け部１０と第１係止片１７とのローラー部１１の回転軸Ｏ１に沿う水平方向Ｔ２の間に隙間をあけて配設されており、この隙間がスターラップを係合させて引っ掛けるための係止溝２０を形成している。
【００２２】
本実施形態の引上げ把持部１３は、下端を係止部１４の上面に接続し、上方に延設された軸部２１と、軸部２１の上端に接続してローラー部１１の回転軸Ｏ１に沿う水平方向Ｔ２に延設された取っ手１２とを備えて略Ｔ字状に形成されている。さらに、本実施形態では、軸部２１の下端が係止部１４の上面の略中央に接続され、且つ軸部２１の中心軸Ｏ２の延長線上にローラー部１１の回転軸Ｏ１が配されるようにして引上げ把持部１３が設けられている。
【００２３】
次に、上記構成からなる本実施形態の配筋用治具Ａの作用効果について説明する。
図４（及び図１から図３）に示すように、本実施形態の配筋用治具Ａを用いて上筋（主筋）２を配筋する際には、上筋２を仮留めした状態で柱上に架け渡すようにハーフＰＣａ梁（鉄筋コンクリート部材の一部）１を設置し、上筋２を外す。そして、鉄筋挿入開口１６を通じて上筋２がローラー部１１上に配されるように配筋用治具Ａを設置する。
【００２４】
このとき、軸受け部１０の下端側にローラー部１１から所定の長さで下方に突出する突出部１０ａが設けられ、ローラー部１１の他端に上端を接続し、軸受け部１０の突出部１０ａと同じ長さで下方に突出する突出支持部１５が設けられている。このため、軸受け部１０と突出支持部１５の下端をハーフＰＣａ梁１の下側コンクリートの上面（接地面）に当接させると、これら軸受け部１０と突出支持部１５によってローラー部１１上で上筋２が安定した状態で支持されるとともに、下側コンクリートとの間に隙間を設けた状態で支持される。これにより、作業者が上筋２と下側コンクリートの間の隙間に指を入れて上筋２を掴み、容易に移動させることができる。
【００２５】
また、ローラー部１１上に上筋２を配設した後に、作業者が引上げ把持部１３の取っ手１２を持って配筋用治具Ａを引き上げたり、下げることで、上筋２を容易に上下に移動させることができる。そして、作業者が配筋用治具Ａを上筋２とともに引き上げ、係止溝２０にスターラップ３を嵌め込んで係止部１４をスターラップ３に係止させると、上筋２を所定の高さに配した状態で配筋用治具Ａを保持することができる。
【００２６】
また、上筋２がローラー部１１上に設けられているため、作業者が上筋２を一方向に押し引きすることにより、容易に且つ円滑に上筋２を横引きして所定位置に配置することができる。
【００２７】
したがって、本実施形態の配筋用治具Ａにおいては、ハーフＰＣａ梁１の上筋２の配筋時に使用することで、例えば、配筋作業を２、３人の作業者で行うことが可能になり、従来と比較し、人工を減らすことができる。
【００２８】
また、ローラー部１１が回転するため、押し引きする単純動作で上筋２を所定位置に移動することができ、且つ少ない作業者で作業を行えるため、息を合わせやすく、容易に且つ円滑に配筋作業を行うことが可能になる。また、スターラップ３に係止部１４を引っ掛けるだけで上筋２を保持でき、従来のように、持ち上げた上筋２を作業者が保持している必要がない。さらに、配筋時に上下に動く力が必要ない、あるいは少なくすることができるため、作業者が体勢を乱すことがなく、効率的に配筋作業を行うことができる。
【００２９】
よって、本実施形態の配筋用治具Ａによれば、ハーフＰＣａ梁１の上筋２を効率的に配筋することができ、且つ作業者の負担を大幅に低減することができ、工期の短縮、人工の削減を図ることを可能になる。
【００３０】
以上、本発明に係る配筋用治具の一実施形態について説明したが、本発明は上記の一実施形態に限定されるものではなく、その趣旨を逸脱しない範囲で適宜変更可能である。
【００３１】
例えば、本実施形態では、本発明に係る配筋用治具ＡがハーフＰＣａ梁１の上筋２を配筋するための治具であるものとして説明を行ったが、本発明に係る配筋用治具Ａは必ずしもハーフＰＣａ梁１の上筋２の配筋に用いることに限定しなくてもよく、梁や床などの主筋が横方向に配設され、せん断補強筋を備えたあらゆる鉄筋コンクリート部材の主筋の配筋に適用可能である。
【００３２】
また、本実施形態では、配筋用治具Ａが軸受け部１０の突出部１０ａと突出支持部１５を備え、これら軸受け部１０と突出支持部１５の下端を接地面に当接させた状態でローラー部１１上に上筋（主筋）２を設置するものとした。
これに対し、係止部１４をスターラップ（せん断補強筋）３に係合させて先に配筋治具Ａを設置し、この状態の配筋治具Ａのローラ部１１に後から主筋２を設置して配筋作業を行うようにしてもよい。
【００３３】
さらに、本実施形態では、上筋２を仮留めした状態でハーフＰＣａ梁（鉄筋コンクリート部材）１を柱上の所定位置に搬送し、所定位置に設置し段階で上筋２を取り外し、配筋用治具Ａを用いて配筋するものとして説明を行った。
これに対し、ハーフＰＣａ梁１を設置した後、上筋２のみを別途搬送し、スラータップの横から差し込んで配筋するようにしてもよい。この場合、例えば、上筋２を差し込む挿入側の近い部分に２つの配筋用治具Ａを近接配置しておき、上筋２を挿入し、ある程度（例えば半分以上）挿入した段階で、１つの配筋用治具Ａの位置を移動（あるいは、あらたな配筋用治具Ａを上筋２の先端付近に設置）して、上筋２の挿入（移動）作業を行うようにしてもよい。
【符号の説明】
【００３４】
１      ハーフＰＣａ梁（鉄筋コンクリート部材）
２      上筋（主筋）
３      スターラップ（せん断補強筋）
１０    軸受け部
１０ａ  突出部
１１    ローラー部
１１ａ  一端
１１ｂ  他端
１２    取っ手
１３    引上げ把持部
１４    係止部
１５    突出支持部
１６    鉄筋挿入開口
１７    第１係止片
１８    第２係止片
１９    第３係止片
２０    係止溝
２１    軸部
Ａ      配筋用治具
Ｏ１    回転軸
Ｏ２    引上げ把持部の中心軸
Ｔ１    上下方向
Ｔ２    水平方向
【図１】
2016000941.tif 000003
【図２】
2016000941.tif 000004
【図３】
2016000941.tif 000005
【図４】
2016000941.tif 000006
【図５】
2016000941.tif 000007